【手続補正書】
【提出日】平成23年10月7日(2011.10.7)
【手続補正１】
【補正対象書類名】特許請求の範囲
【補正対象項目名】全文
【補正方法】変更
【補正の内容】
【特許請求の範囲】
【請求項１】
無線リンク（１３０）を介して送信ノード（１１０）から受信ノード（１２０）に送信される、データ・ユニットに関する状態情報を取り扱うための、前記受信ノード（１２０）における方法であって、
前記送信ノード（１１０）により送信された多数のデータ・ユニット（２，３，４，６，７，８）が欠落していることを確定するステップ（４０１）と、
欠落したデータ・ユニットの最初の部分（２，３，４）に対する否定応答を含み、かつ、前記欠落したデータ・ユニットの残りの部分（６，７，８）に対する否定応答を割愛するように縮減された縮減状態メッセージを、前記無線リンクを介して前記送信ノード（１２０）に送信するステップ（４０２）と、
を含み、
前記欠落したデータ・ユニットの前記残りの部分（６，７，８）に対して割愛された否定応答が、正しく受信されたデータ・ユニットとして前記送信ノード（１１０）により誤って解釈されないように、前記縮減状態メッセージは、該縮減状態メッセージで否定応答が割愛された最初の欠落したデータ・ユニット未満のデータ・ユニット（１，５）を肯定的に応答し、
前記肯定的な応答は、前記縮減状態メッセージで否定応答が割愛された前記最初の欠落したデータ・ユニットにＡＣＫ＿ＳＮフィールドを設定することにより実行され、否定応答が割愛された前記最初の欠落したデータ・ユニット未満であり前記否定応答された前記欠落したデータ・ユニットの前記最初の部分を明示的に除外したシーケンス番号を有するデータ・ユニットが応答されることを意味し、前記ＡＣＫ＿ＳＮフィールドは前記縮減状態メッセージの一部である
ことを特徴とする方法。
【請求項２】
前記縮減状態メッセージに含まれる前記欠落したデータ・ユニットの前記最初の部分（２，３，４）に対する否定応答は、限定されたリソースのために前記縮減状態メッセージに適合する否定応答の数と同数の否定応答により表されることを特徴とする請求項１に記載の方法。
【請求項３】
前記受信ノードは受信ウィンドウを使用し、前記欠落したデータ・ユニットの前記最初の部分（２，３，４）に対する否定応答は、前記受信ウィンドウの下限に最も近い欠落したデータ・ユニットであることを特徴とする請求項１又は２に記載の方法。
【請求項４】
無線リンク（１３０）を介して送信ノード（１１０）から受信ノード（１２０）に送信される、データ・ユニットに関する状態情報を取り扱うための、前記送信ノード（１１０）における方法であって、
データ・ユニット（１，２，３，４，５，６，７，８，９，１０）のストリームを前記無線リンク（１３０）を介して前記受信ノード（１２０）に送信するステップ（６０１）であって、前記受信ノード（１２０）は、前記送信されたいくつかのデータ・ユニット（１，５，９，１０）を正しく受信するが多数のデータ・ユニット（２，３，４，６，７，８）を欠落する、送信するステップと、
欠落したデータ・ユニットの最初の部分（２，３，４）に対する否定応答を含み、かつ、前記欠落したデータ・ユニットの残りの部分（６，７，８）に対する否定応答を割愛するように縮減された縮減状態メッセージを、前記無線リンク（１３０）を介して前記受信ノード（１２０）から受信するステップ（６０２）と、
を含み、
前記欠落したデータ・ユニットの前記残りの部分（６，７，８）に対して割愛された否定応答が、正しく受信されたデータ・ユニットとして前記送信ノード（１１０）により誤って解釈されないように、前記縮減状態メッセージは、該縮減状態メッセージで否定応答が割愛されたデータ・ユニット未満のデータ・ユニットを肯定的に応答し、
前記肯定的な応答は、前記縮減状態メッセージで否定応答が割愛された最初の欠落したデータ・ユニットにＡＣＫ＿ＳＮフィールドを設定することにより実行され、否定応答が割愛された前記最初の欠落したデータ・ユニット未満であり前記否定応答された前記欠落したデータ・ユニットの前記最初の部分を明示的に除外したシーケンス番号を有するデータ・ユニットが応答されることを意味し、前記ＡＣＫ＿ＳＮフィールドは前記縮減状態メッセージの一部である
ことを特徴とする方法。
【請求項５】
前記縮減状態メッセージに含まれる前記欠落したデータ・ユニットの前記最初の部分（２，３，４）に対する否定応答は、限定されたリソースのために前記縮減状態メッセージに適合する否定応答の数と同数の否定応答により表されることを特徴とする請求項４に記載の方法。
【請求項６】
前記欠落したデータ・ユニットの前記最初の部分（２，３，４）に対する否定応答は、前記受信ノード（１２０）の受信ウィンドウの下限に最も近い欠落したデータ・ユニットであることを特徴とする請求項４又は５に記載の方法。
【請求項７】
前記送信ノード（１１０）は送信ウィンドウを使用し、前記方法は、
前記送信ウィンドウの下限を否定応答された最低のデータ・ユニットまで移動するステップを更に含むことを特徴とする請求項４乃至６の何れか一項に記載の方法。
【請求項８】
無線リンク（１３０）を介して送信ノード（１１０）から受信ノード（１２０）に送信される、データ・ユニットに関する状態情報を取り扱うための、前記受信ノード（１２０）における装置（５００）であって、
前記送信ノード（１１０）により送信された多数のデータ・ユニット（２，３，４，６，７，８）が欠落していることを確定するよう構成された確定部（５１０）と、
欠落したデータ・ユニットの最初の部分（２，３，４）に対する否定応答を含み、かつ、前記欠落したデータ・ユニットの残りの部分（６，７，８）に対する否定応答を割愛するように縮減された縮減状態メッセージを、前記無線リンクを介して前記送信ノード（１２０）に送信するよう構成された送信部（５２０）と、
を含み、
前記欠落したデータ・ユニットの前記残りの部分（６，７，８）に対して割愛された否定応答が、正しく受信されたデータ・ユニットとして前記送信ノード（１１０）により誤って解釈されないように、前記縮減状態メッセージは、該縮減状態メッセージで否定応答が割愛された最初の欠落したデータ・ユニット未満のデータ・ユニット（１，５）を肯定的に応答し、
前記肯定的な応答は、前記縮減状態メッセージで否定応答が割愛された前記最初の欠落したデータ・ユニットにＡＣＫ＿ＳＮフィールドを設定することにより実行され、否定応答が割愛された前記最初の欠落したデータ・ユニット未満であり前記否定応答された前記欠落したデータ・ユニットの前記最初の部分を明示的に除外したシーケンス番号を有するデータ・ユニットが応答されることを意味し、前記ＡＣＫ＿ＳＮフィールドは前記縮減状態メッセージの一部である
ことを特徴とする装置。
【請求項９】
無線リンク（１３０）を介して送信ノード（１１０）から受信ノード（１２０）に送信される、データ・ユニットに関する状態情報を取り扱うための、前記送信ノード（１１０）における装置（７００）であって、
データ・ユニット（１，２，３，４，５，６，７，８，９，１０）のストリームを前記無線リンク（１３０）を介して前記受信ノード（１２０）に送信するよう構成された送信部（７１０）であって、前記受信ノード（１２０）は、前記送信されたいくつかのデータ・ユニット（１，５，９，１０）を正しく受信するが多数のデータ・ユニット（２，３，４，６，７，８）を欠落する、送信部と、
欠落したデータ・ユニットの最初の部分（２，３，４）に対する否定応答を含み、かつ、前記欠落したデータ・ユニットの残りの部分（６，７，８）に対する否定応答を割愛するように縮減された縮減状態メッセージを、前記無線リンク（１３０）を介して前記受信ノード（１２０）から受信するよう構成された受信部（７２０）と、
を含み、
前記欠落したデータ・ユニットの前記残りの部分（６，７，８）に対して割愛された否定応答が、正しく受信されたデータ・ユニットとして前記送信ノード（１１０）により誤って解釈されないように、前記縮減状態メッセージは、該縮減状態メッセージで否定応答が割愛されたデータ・ユニット未満のデータ・ユニットを肯定的に応答し、
前記肯定的な応答は、前記縮減状態メッセージで否定応答が割愛された最初の欠落したデータ・ユニットにＡＣＫ＿ＳＮフィールドを設定することにより実行され、否定応答が割愛された前記最初の欠落したデータ・ユニット未満であり前記否定応答された前記欠落したデータ・ユニットの前記最初の部分を明示的に除外したシーケンス番号を有するデータ・ユニットが応答されることを意味し、前記ＡＣＫ＿ＳＮフィールドは前記縮減状態メッセージの一部である
ことを特徴とする装置。